(57)【要約】【課題】  装置端末の設置を効率的に行なうことができ、作業時間を短縮することができると共に、サービス開始時の設定作業を加入者自身ですることができ、設定時間を短縮することが可能なＰＯＮシステムを提供する。【解決手段】  局装置ＯＬＴに接続された光カプラ３に複数の装置端末４ａ〜４ｄを接続したＰＯＮシステムにおいて、上記各装置端末に接続された第１の物理層終端部７と、複数の加入者端末１２ａ〜１２ｄに接続し得るようにされた第２の物理層終端部１０と、上記加入者端末からの認証手続きにより、上記加入者端末と未使用装置端末とのパスを形成する切替制御部８と、上記切替制御部に搭載された認証用サーバ９とを有する自動端子盤装置を設けた構成とする。【選択図】        図１
2006345247.tif 000002
【特許請求の範囲】
【請求項１】
局装置に接続された光カプラに複数の装置端末を接続したＰＯＮ( Passive Optical Network ) システムにおいて、上記各装置端末に接続された第１の物理層終端部と、複数の加入者端末に接続し得るようにされた第２の物理層終端部と、上記加入者端末からの認証手続きにより、上記加入者端末と未使用装置端末とのパスを形成する切替制御部と、上記切替制御部に搭載された認証用サーバとを有する自動端子盤装置を設けたことを特徴とするＰＯＮシステム。
【請求項２】
上記加入者端末と認証用サーバとの認証手続きが正常に完了しない時は、上記切替制御部による上記第１及び第２の物理層終端部間のパスを形成しないようにしたことを特徴とする請求項１記載のＰＯＮシステム。
【請求項３】
上記自動端子盤装置は、上記認証用サーバに記憶されているデータを上記局装置から吸い上げまたは変更し得るようにされていることを特徴とする請求項１または請求項２記載のＰＯＮシステム。
【請求項４】
上記自動端子盤装置は、上記切替制御部による上記第１及び第２の物理層終端部間のパス形成後、所定時間経過時に上記パスを開放し、または上記局装置からの指令によりパス開放時間を設定し、あるいは強制的にパスを開放し得るようにされていることを特徴とする請求項１〜請求項３のいずれか１項記載のＰＯＮシステム。
【請求項５】
上記自動端子盤装置は、自動端子盤装置内の障害及び上記装置端末の障害並びに上記光カプラと装置端末間の伝送路障害を検出する手段を有すると共に、障害検出時には上記第１及び第２の物理層終端部間の正常なパスを選択して切り替える冗長構成手段を有することを特徴とする請求項１〜請求項４のいずれか１項記載のＰＯＮシステム。
【請求項６】
局装置に接続された光カプラに複数の装置端末を接続すると共に、上記各装置端末と複数の加入者端末とを端子盤を介して接続したことを特徴とするＰＯＮシステム。
【発明の詳細な説明】
【技術分野】
【０００１】
この発明はＰＯＮ(Passive Optical Network )システム、特に装置端末と加入者端末との接続及び設定を容易にすると共に、装置端末の設置、接続、設定に要する時間を短縮することができるＰＯＮシステムに関するものである。
【背景技術】
【０００２】
図３及び図４は、従来のＰＯＮシステムを集合住宅設備に適用した場合の機器設置形態及び認証方法を説明するためのブロック図である。
【０００３】
図３は、局装置ＯＬＴに接続された光ファイバＯＦ及びこの光ファイバＯＦに接続された光カプラＯＣを有し、この光カプラＯＣに複数の分岐回路を構成する光ファイバＯＦ１〜ＯＦ４が接続され、更に、必要に応じて設けられる端子盤Ｔ及びそれに接続された光ファイバＯＦ５〜ＯＦ８を介して各家庭となる例えば１号室〜４号室に設置された装置端末ＯＮＵに接続され、各装置端末ＯＮＵに加入者端末ＰＣが接続されている。また、認証用サーバＡＳは局装置ＯＬＴに接続されている。
【０００４】
認証方法については、装置端末ＯＮＵに固有のアドレスであるＭＡＣアドレスを使用し、このアドレスを局装置ＯＬＴもしくは認証用サーバＡＳに予め登録しておき、各家庭で装置端末ＯＮＵを接続した時にＭＡＣアドレスを照合して登録する方法がとられている。
【０００５】
図４は、図３とは異なる従来システムの例を示すもので、局装置ＯＬＴに接続された光ファイバＯＦ及びこの光ファイバＯＦに接続された光カプラＯＣ並びに光カプラＯＣに光ファイバＯＦを介して接続された装置端末ＯＮＵを有し、この装置端末ＯＮＵで光／電気変換が行なわれる。
【０００６】
装置端末ＯＮＵにはＵＴＰケーブルＵＣを介して第１の変換器ＣＡが接続され、ここで集線機能を搭載したスイッチ及び既存の電話線を利用したデータ方式に変換される。
代表的な変換方式としてはＶＤＳＬ( Very high-bit-rate Digital Subscriber Line )などがある。
【０００７】
第１の変換器ＣＡには複数の電話線ＴＬ１〜ＴＬ４及び端子盤Ｔ並びに電話線ＴＬ５〜ＴＬ８を介して各家庭に設置された第２の変換器ＣＢが接続され、第２の変換器ＣＢにはそれぞれ加入者端末ＰＣが接続されている。
【０００８】
認証方法については、第１及び第２の変換器ＣＡ、ＣＢを設置し、接続、設定することでサービス開通となる。装置端末ＯＮＵには各加入者のデータが集約されるため、予め認証を完了し通信可能な状態にしておくことになる。（例えば非特許文献１参照）。
【０００９】
【非特許文献１】アライドテレシス社のホームページ  URL:http://www.allied-telesis.co.jp/solution/mdu_mtu/network.html
【発明の開示】
【発明が解決しようとする課題】
【００１０】
従来のＰＯＮシステムは上記のように構成され、図３に示すシステムにおいては、サービス開始時に各家庭に設置業者が装置端末ＯＮＵを設置し、光ファイバの融着による配線接続を行なう必要があるため、時間的、コスト的な問題があった。
【００１１】
また、認証方法については、各家庭に設置する装置端末ＯＮＵのＭＡＣアドレスを予め局装置ＯＬＴもしくは認証用サーバＡＳに登録しておく必要があるため、サービス開始に際してアドレス管理などの手間を要するという問題点もあった。
【００１２】
更に、図４に示すシステムにおいては、サービス開始時に設置業者が各家庭に設置する第２の変換器ＣＢと、第１の変換器ＣＡとを接続して設定する必要があり、また図４の例では４つの加入者が１台の装置端末ＯＮＵの帯域をシェアすることになり、更に上位では同一の光カプラＯＣの配下に接続される装置端末ＯＮＵの台数にて帯域をシェアすることになるため、加入者が利用可能な帯域がある程度制約を受けるという問題点があった。
【００１３】
この発明は上記のような問題点を解消するためになされたもので、装置端末ＯＮＵの設置を効率的に行なうことができ、作業時間を短縮することが出来ると共に、サービス開始時の設定作業を加入者自身ですることができ、設定時間を短縮することが可能なＰＯＮシステムを提供することを目的とする。
【課題を解決するための手段】
【００１４】
この発明に係るＰＯＮシステムは、局装置に接続された光カプラに複数の装置端末を接続したＰＯＮシステムにおいて、上記各装置端末に接続された第１の物理層終端部と、複数の加入者端末に接続し得るようにされた第２の物理層終端部と、上記加入者端末からの認証手続きにより、上記加入者端末と未使用装置端末とのパスを形成する切替制御部と、上記切替制御部に搭載された認証用サーバとを有する自動端子盤装置を設けたものである。
【発明の効果】
【００１５】
この発明に係るＰＯＮシステムは上記のように構成されているため、装置端末ＯＮＵの設置を効率的に行なうことができ、作業時間を短縮することができる。また、サービス開始時の設定作業を加入者自身で行なうことができるため、効率的で設定時間の短縮が可能となる。
【発明を実施するための最良の形態】
【００１６】
実施の形態１．
以下、この発明の実施の形態１を図にもとづいて説明する。図１は、実施の形態１によるＰＯＮシステムの構成の例を示すブロック図である。
【００１７】
図１に示すように、局装置ＯＬＴに光ファイバ２が接続され、この光ファイバ２に光カプラ３が接続されている。また、この光カプラ３には複数の分岐用光ファイバＯＦ１〜ＯＦ４が接続され、これらの分岐用光ファイバＯＦ１〜ＯＦ４にそれぞれ装置端末ＯＮＵ４ａ〜４ｄが接続されている。なお、この図では装置端末が４台接続された例を示しているが、実際はＰＯＮシステムの接続可能台数まで接続できることは云うまでもない。
【００１８】
各装置端末ＯＮＵ４ａ〜４ｄにて光／電気変換された信号はケーブル５ａ〜５ｄを介して自動端子盤装置６に接続されている。自動端子盤装置６は、装置端末ＯＮＵ４ａ〜４ｄとのインタフェースとなる第１の物理層終端部７及び各家庭となるＡ号室〜Ｆ号室とＵＴＰケーブル１１ａ〜１１ｆで接続された第２の物理層終端部１０並びに各終端部７と１０との間でケーブル５ａ〜５ｄのうちの所定のケーブル及びＵＴＰケーブル１１ａ〜１１ｆのうちの所定のケーブルを選択して接続する経路選択及び接続された経路の開放制御を実施する切替制御部８とを有する。
また、切替制御部８には認証用サーバ９が搭載されており、各家庭に加入者端末であるＰＣ１２ａ〜１２ｄ等が設置、接続された場合に認識できるようにされている。
【００１９】
このような構成において、家庭の一つ、例えばＡ号室で加入者端末ＰＣ１２ｄが接続された場合、自動端子盤装置６の第２の物理層終端部１０が加入者端末の接続を検出し、認証用サーバ９と加入者端末ＰＣ１２ｄとの間で認証手続きが実行される。
【００２０】
認証手続きが完了すると、切替制御部８にて未使用の装置端末ＯＮＵ４ｃと加入者端末ＰＣ１２ｄとの間のパスを接続する。ここで、未使用の装置端末というのは、第１の物理層終端部７と第２の物理層終端部１０との間にパスが接続されていない装置端末ＯＮＵのことをいう。これにより、加入者端末ＰＣ１２ｄからのユーザデータは、装置端末ＯＮＵ４ｃを経由して局装置ＯＬＴへ転送される。
【００２１】
実施の形態２．
次に、この発明の実施の形態２について説明する。実施の形態１では、データの開通について説明したが、実施の形態２は、図１においてＡ号室に加入者端末ＰＣ１２ｄが接続された際、認証用サーバ９と加入者端末ＰＣ１２ｄとの間で認証手続きが正常に完了しない場合には、第１の物理層終端部７と第２の物理層終端部１０との間のパスを接続しないようにした機能を実施の形態１に追加したものである。この結果、不要なサービス開通を防止することができる。
【００２２】
実施の形態３．
次に、この発明の実施の形態３について説明する。実施の形態１では、加入者側からの設定でサービス開通となることを説明したが、この時の認証データは自動端子盤装置６に記憶されている。
【００２３】
実施の形態３は局装置ＯＬＴ等の上位装置から自動端子盤装置６に記憶されているデータを吸い上げ、または変更する機能を実施の形態１に追加したものである。
この結果、加入者側からの設定によるサービス開通後、事業者から正式な手続きを実施するという方法を選ぶことによって、より正確な情報管理を行なうことが可能となる。
【００２４】
実施の形態４．
次に、この発明の実施の形態４について説明する。実施の形態１では、上述のように、自動端子盤装置６の切替制御部８によって第１の物理層終端部７と第２の物理層終端部１０との間のパスが接続されるが、実施の形態４は上記のパスが接続された後、所定の時間経過後に上記のパスが自動的に開放されるようにし、または上位装置からの指令によりパス開放時間を任意に設定したり、強制的にパスを開放し得るようにした機能を実施の形態１に追加したものである。
【００２５】
この結果、加入者側からの設定によるサービス開通を暫定的サービス期間とし、その後、事業者からの正式手続きが所定時間内に終了しなければ、所定時間経過後にデータ通信を停止させることが可能となる。
【００２６】
実施の形態５．
次に、この発明の実施の形態５について説明する。実施の形態５は、自動端子盤装置６の装置内障害の検出や、装置端末ＯＮＵの装置障害、光カプラ３と装置端末ＯＮＵ間の伝送路障害を検出する機能を実施の形態１に追加したものである。
この結果、障害発生時には自動端子盤装置内の正常なパスを選択して切替える冗長構成とすることができる。
【００２７】
実施の形態６．
次に、この発明の実施の形態６を図にもとづいて説明する。図２は、実施の形態６によるＰＯＮシステムの構成の例を示すブロック図である。
上述した実施の形態１〜５が図１に示すように自動端子盤装置６を主要な構成要素として採用していたのに対し、実施の形態６は図２に示すように通常の端子盤Ｔを採用して構成したものである。即ち、図２に示すように、局装置ＯＬＴに接続された光ファイバＯＦ及びこの光ファイバＯＦに接続された光カプラＯＣを有し、この光カプラＯＣに複数の分岐回路を構成する光ファイバＯＦ１〜ＯＦ４が接続され、各光ファイバに装置端末ＯＮＵが接続され、光／電気変換を行なっている。
【００２８】
各装置端末ＯＮＵはＵＴＰケーブルＵＣ１〜ＵＣ４を介して端子盤Ｔに接続され、端子盤ＴにはまたＵＴＰケーブルＵＣ５〜ＵＣ８を介して各家庭の加入者端末ＰＣが接続されるようになっている。更に、認証用サーバＡＳは局装置ＯＬＴに接続されている。
【００２９】
認証方法については、上述した図３の従来例と同様に、装置端末ＯＮＵに固有のアドレスであるＭＡＣアドレスを使用し、このアドレスを局装置ＯＬＴもしくは認証用サーバＡＳに予め登録しておき、装置端末ＯＮＵの接続時にＭＡＣアドレスを照合し登録する方法がとられる。加入者端末ＰＣは端子盤Ｔを介して装置端末ＯＮＵの一つに接続される。
【図面の簡単な説明】
【００３０】
【図１】この発明の実施の形態１によるＰＯＮシステムの構成の例を示すブロック図である。
【図２】この発明の実施の形態２によるＰＯＮシステムの構成の例を示すブロック図である。
【図３】従来のＰＯＮシステムを集合住宅設備に適用した場合の機器設備形態及び認証方法を説明するためのブロック図である。
【図４】従来のＰＯＮシステムを集合住宅設備に適用した場合の機器設備形態及び認証方法を説明するための他の例を示すブロック図である。
【符号の説明】
【００３１】
ＯＬＴ  局装置、  ２  光ファイバ、  ３  光カプラ、
ＯＦ１〜ＯＦ４  光ファイバ、
４ａ〜４ｄ  装置端末、  ５ａ〜５ｄ  ケーブル、  ６  自動端子盤装置、
７  第１の物理層終端部、  ８  切替制御部、  ９  認証用サーバ、
１０  第２の物理層終端部、  １１ａ〜１１ｆ  ＵＴＰケーブル、
１２ａ〜１２ｄ  加入者端末。
【図１】
2006345247.tif 000003
【図２】
2006345247.tif 000004
【図３】
2006345247.tif 000005
【図４】
2006345247.tif 000006